(57)【要約】【課題】ドラムカートリッジがドロワに装着され、ドロワが内側位置に位置する状態で、クリーニング部材が上下方向において感光ドラムと定着器との間に位置するような画像形成装置であって、ドラムカートリッジとトナーカートリッジとを個別に交換することができる画像形成装置を提供する。【解決手段】  画像形成装置１は、ドロワ４、ドラムカートリッジ５、露光器６、トナーカートリッジ７および定着器９を備える。ドラムカートリッジ５は、感光ドラム１３と、クリーニング部材２２Ｂと、現像器１５と、廃トナー搬送管２３とを備える。トナーカートリッジ７は、トナー収容器１７と廃トナー収容器１８とを有する。ドラムカートリッジ５は、ドロワ４に装着可能である。トナーカートリッジ７は、ドラムカートリッジ５に装着可能である。【選択図】図１
2019204005.tif 000002
【特許請求の範囲】
【請求項１】
装置本体と、
前記装置本体内に位置する内側位置と、前記装置本体外に位置する外側位置との間を移動可能なドロワと、
感光ドラムと、前記感光ドラムをクリーニングするためのクリーニング部材と、前記感光ドラムに形成された潜像をトナーで現像してトナー像を形成する現像ローラを備える現像器と、前記クリーニング部材によって前記感光ドラムから除去された廃トナーを搬送するための廃トナー搬送管と、前記感光ドラム、前記クリーニング部材および前記現像器を支持するフレームとを備え、前記現像器が前記感光ドラムに対して移動可能であるドラムカートリッジと、
前記感光ドラムを露光して前記潜像を形成する露光器と、
前記感光ドラムから印刷媒体に転写されたトナー像を定着させる定着器であって、前記ドラムカートリッジが前記ドロワに装着され、前記ドロワが前記内側位置に位置する状態で、前記感光ドラムの上方に間隔を隔てて位置する定着器と、
前記現像ローラに供給されるトナーを収容可能なトナー収容器と、廃トナーを収容可能な廃トナー収容器とを有するトナーカートリッジと
を備え、
前記クリーニング部材は、前記ドラムカートリッジが前記ドロワに装着され、前記ドロワが前記内側位置に位置する状態で、上下方向において、前記感光ドラムと前記定着器の間に配置され、
前記ドラムカートリッジは、前記ドロワに装着可能であり、
前記トナーカートリッジは、前記ドラムカートリッジに装着可能であることを特徴とする、画像形成装置。
【請求項２】
前記現像器は、前記フレームに揺動軸について揺動可能に支持されることにより、前記感光ドラムに対して移動可能であることを特徴とする、請求項１に記載の画像形成装置。
【請求項３】
前記トナーカートリッジは、前記現像器に装着可能であり、前記現像器に装着された状態で、前記現像器とともに前記感光ドラムに対して移動可能であることを特徴とする、請求項１または請求項２に記載の画像形成装置。
【請求項４】
前記廃トナー搬送管は、廃トナーを排出する廃トナー排出口を有し、
前記トナーカートリッジは、廃トナーを受け入れる廃トナー受入口を有し、
前記現像器は、前記トナーカートリッジが前記現像器に装着された状態で前記廃トナー受入口と通じる開口を有し、
前記ドラムカートリッジは、
前記現像器と前記廃トナー搬送管との間に位置し、前記廃トナー排出口の周りを囲むとともに前記開口の周りを囲むシール部材であって、前記現像器が前記感光ドラムに対して移動するときに変形可能なシール部材を備えることを特徴とする、請求項１から請求項３のいずれか一項に記載の画像形成装置。
【請求項５】
前記現像器は、前記開口を閉鎖する閉位置と前記開口を開放する開位置との間を移動可能な第１シャッターを備え、
前記トナーカートリッジは、前記廃トナー受入口を閉鎖する閉位置と前記廃トナー受入口を開放する開位置との間を移動可能な第２シャッターを備え、
前記第１シャッターおよび前記第２シャッターは、前記トナーカートリッジが前記ドラムカートリッジに装着された状態で、ともに移動可能であることを特徴とする、請求項４に記載の画像形成装置。
【請求項６】
前記トナーカートリッジは、トナーを排出するトナー排出口を有し、
前記現像器は、トナーを受け入れるトナー受入口を有し、
前記第１シャッターは、前記閉位置に位置するとき、前記開口と前記トナー受入口とを閉鎖し、前記開位置に位置するとき、前記開口と前記トナー受入口とを開放し、
前記第２シャッターは、前記閉位置に位置するとき、前記廃トナー受入口と前記トナー排出口とを閉鎖し、前記開位置に位置するとき、前記廃トナー受入口と前記トナー排出口とを開放することを特徴とする、請求項５に記載の画像形成装置。
【請求項７】
前記廃トナー受入口と前記トナー排出口とは、前記第１シャッターの移動方向において並ぶことを特徴とする、請求項６に記載の画像形成装置。
【請求項８】
前記トナーカートリッジは、前記フレームに装着可能であることを特徴とする、請求項１または請求項２に記載の画像形成装置。
【請求項９】
前記トナーカートリッジは、トナーを排出可能なトナー排出口を有し、
前記現像器は、トナーを受け入れ可能なトナー受入口を有し、
前記フレームは、
前記トナーカートリッジが前記フレームに装着された状態で前記トナー排出口と前記トナー受入口との間に位置する壁であって、前記トナー受入口と通じる開口を有する壁を有し、
前記ドラムカートリッジは、
前記壁と前記現像器との間に位置し、前記開口の周りを囲むとともに前記トナー受入口の周りを囲むシール部材であって、前記現像器が前記感光ドラムに対して移動するときに変形可能なシール部材を備えることを特徴とする、請求項８に記載の画像形成装置。
【請求項１０】
前記フレームは、第１側板と、前記感光ドラムの回転軸線が延びる軸線方向において前記第１側板と間隔を隔てて位置する第２側板とを備え、
前記開口は、前記軸線方向において、前記第１側板と前記第２側板との間に位置することを特徴とする、請求項９に記載の画像形成装置。
【請求項１１】
前記トナーカートリッジは、
前記トナーを排出するトナー排出口を有し、
前記トナー排出口を閉鎖する閉位置と前記トナー排出口を開放する開位置との間を移動可能なシャッターと、
前記シャッターを移動させるためのレバーであって、前記シャッターを前記閉位置に位置させる第１位置と、前記シャッターを前記開位置に位置させる第２位置との間を移動可能なレバーと
を備えることを特徴とする、請求項１または請求項２に記載の画像形成装置。
【請求項１２】
前記廃トナー収容器は、
前記レバーが前記第１位置に位置するとき、前記レバーが前記廃トナー収容器に係合することにより、前記トナー収容器に対して移動不能となり、
前記レバーが前記第２位置に位置するとき、前記レバーと前記廃トナー収容器との係合が解除されることにより、前記トナー収容器に対して移動可能となることを特徴とする、請求項１１に記載の画像形成装置。
【請求項１３】
前記廃トナー搬送管は、前記廃トナー収容器に接続された状態で、前記トナーカートリッジが前記フレームに装着される装着位置と、前記トナーカートリッジが前記フレームから取り外される離脱位置との間を移動可能であることを特徴とする、請求項１または請求項２に記載の画像形成装置。
【請求項１４】
前記フレームは、
前記トナーカートリッジが前記ドラムカートリッジに装着されるときに前記廃トナー収容器を案内する第１ガイドを有し、
前記現像器は、
前記トナーカートリッジが前記ドラムカートリッジに装着されるときに前記トナー収容器を案内する第２ガイドを有することを特徴とする、請求項１または請求項２に記載の画像形成装置。
【請求項１５】
トナーを収容可能なトナー収容器であって、前記トナーを排出するトナー排出口を有し、前記トナー排出口を閉鎖する閉位置と前記トナー排出口を開放する開位置との間を移動可能なシャッターと、前記シャッターを移動させるためのレバーであって、前記シャッターを前記閉位置に位置させる第１位置と、前記シャッターを前記開位置に位置させる第２位置との間を移動可能なレバーとを備えるトナー収容器と、
廃トナーを収容可能な廃トナー収容器であって、前記トナー収容器に対して移動可能に連結される廃トナー収容器と
を備え、
前記廃トナー収容器は、
前記レバーが前記第１位置に位置するとき、前記レバーが前記廃トナー収容器に係合することにより、前記トナー収容器に対して移動不能となり、
前記レバーが前記第２位置に位置するとき、前記レバーと前記廃トナー収容器との係合が解除されることにより、前記トナー収容器に対して移動可能となることを特徴とする、トナーカートリッジ。
【発明の詳細な説明】
【技術分野】
【０００１】
本開示は、画像形成装置およびトナーカートリッジに関する。
【背景技術】
【０００２】
従来、画像形成装置は、装置本体と、装置本体内に位置する内側位置と、装置本体外に位置する外側位置との間を移動可能なドロワと、ドロワに装着可能なカートリッジと、露光器と、定着器とを備える。カートリッジは、感光ドラムと、感光ドラムをクリーニングするクリーニング部材と、現像ローラを有しトナーを収容する現像ユニットとを備える。カートリッジがドロワに装着され、ドロワが内側位置に位置する状態で、クリーニング部材は、感光ドラムと定着器との間に位置する（下記特許文献１参照）。
【先行技術文献】
【特許文献】
【０００３】
【特許文献１】特開２０１６−０８１０３４号公報
【発明の概要】
【発明が解決しようとする課題】
【０００４】
特許文献１に記載されるような画像形成装置では、カートリッジは、感光ドラムと現像ユニットとを一体に備えている。
【０００５】
そのため、例えば、現像ユニット内のトナー残量が少なくなった場合などに、感光ドラムを交換する必要は無くても、感光ドラムを含めたカートリッジ全体を交換しなければならず、コストの低減を図ることが困難である。
【０００６】
そこで、本開示の目的は、ドラムカートリッジがドロワに装着され、ドロワが内側位置に位置する状態で、クリーニング部材が感光ドラムと定着器との間に位置するような画像形成装置であって、ドラムカートリッジとトナーカートリッジとを個別に交換することができる画像形成装置を提供することにある。
【課題を解決するための手段】
【０００７】
（１）本開示の画像形成装置は、装置本体と、ドロワと、ドラムカートリッジと、露光器と、定着器と、トナーカートリッジとを備える。
【０００８】
ドロワは、装置本体内に位置する内側位置と、装置本体外に位置する外側位置との間を移動可能である。
【０００９】
ドラムカートリッジは、感光ドラムと、クリーニング部材と、現像器と、廃トナー搬送管と、フレームとを備える。クリーニング部材は、感光ドラムをクリーニングする。現像器は、現像ローラを備える。現像ローラは、感光ドラムに形成された潜像をトナーで現像してトナー像を形成する。現像器は、感光ドラムに対して移動可能である。廃トナー搬送管は、クリーニング部材によって感光ドラムから除去された廃トナーを搬送する。フレームは、感光ドラム、クリーニング部材および現像器を支持する。
【００１０】
露光器は、感光ドラムを露光して潜像を形成する。
【００１１】
定着器は、感光ドラムから印刷媒体に転写されたトナー像を定着させる。定着器は、ドラムカートリッジがドロワに装着され、ドロワが内側位置に位置する状態で、感光ドラムの上方に間隔を隔てて位置する。
【００１２】
トナーカートリッジは、トナー収容器と廃トナー収容器とを有する。トナー収容器は、現像ローラに供給されるトナーを収容可能である。廃トナー収容器は、廃トナーを収容可能である。
【００１３】
クリーニング部材は、ドラムカートリッジがドロワに装着され、ドロワが内側位置に位置する状態で、上下方向において、感光ドラムと定着器の間に配置される。
【００１４】
ドラムカートリッジは、ドロワに装着可能である。
【００１５】
トナーカートリッジは、ドラムカートリッジに装着可能である。
【００１６】
このような構成によれば、ドラムカートリッジは、ドロワに装着可能であり、トナーカートリッジは、ドラムカートリッジに装着可能である。
【００１７】
そのため、ドラムカートリッジがドロワに装着され、ドロワが内側位置に位置する状態で、クリーニング部材が感光ドラムと定着器との間に位置するような画像形成装置において、ドラムカートリッジとトナーカートリッジとを個別に交換することができる。
【００１８】
これにより、ドラムカートリッジとトナーカートリッジとを、それぞれの寿命に応じて、適切な時期に交換することができる。
【００１９】
（２）現像器は、フレームに揺動軸について揺動可能に支持されることにより、感光ドラムに対して移動可能であってもよい。
【００２０】
（３）トナーカートリッジは、現像器に装着可能であり、現像器に装着された状態で、現像器とともに感光ドラムに対して移動可能であってもよい。
【００２１】
（４）廃トナー搬送管は、廃トナーを排出する廃トナー排出口を有する。トナーカートリッジは、廃トナーを受け入れる廃トナー受入口を有する。この場合、現像器は、開口を有してもよい。開口は、トナーカートリッジが現像器に装着された状態で廃トナー受入口と通じる。ドラムカートリッジは、シール部材を備えてもよい。シール部材は、現像器と廃トナー搬送管との間に位置し、廃トナー排出口の周りを囲むとともに開口の周りを囲む。シール部材は、現像器が感光ドラムに対して移動するときに変形可能である。
【００２２】
（５）現像器は、開口を閉鎖する閉位置と開口を開放する開位置との間を移動可能な第１シャッターを備えてもよい。トナーカートリッジは、廃トナー受入口を閉鎖する閉位置と廃トナー受入口を開放する開位置との間を移動可能な第２シャッターを備えてもよい。第１シャッターおよび第２シャッターは、トナーカートリッジがドラムカートリッジに装着された状態で、ともに移動可能であってもよい。
【００２３】
（６）トナーカートリッジは、トナーを排出するトナー排出口を有する。現像器は、トナーを受け入れるトナー受入口を有する。第１シャッターは、閉位置に位置するとき、開口とトナー受入口とを閉鎖し、開位置に位置するとき、開口とトナー受入口とを開放してもよい。第２シャッターは、閉位置に位置するとき、廃トナー受入口とトナー排出口とを閉鎖し、開位置に位置するとき、廃トナー受入口とトナー排出口とを開放してもよい。
【００２４】
（７）廃トナー受入口とトナー排出口とは、第１シャッターの移動方向において並んでもよい。
【００２５】
（８）トナーカートリッジは、フレームに装着可能であってもよい。
【００２６】
（９）フレームは、開口を有する壁を有してもよい。壁は、トナーカートリッジがフレームに装着された状態で、トナー排出口とトナー受入口との間に位置する。開口は、トナー受入口と通じる。シール部材は、壁と現像器との間に位置し、開口の周りを囲むとともにトナー受入口の周りを囲む。シール部材は、現像器が感光ドラムに対して移動するときに変形可能である。
【００２７】
（１０）フレームは、第１側板と第２側板とを備えてもよい。第２側板は、感光ドラムの回転軸線が延びる軸線方向において、第１側板と間隔を隔てて位置する。開口は、軸線方向において、第１側板と第２側板との間に位置する。
【００２８】
（１１）トナーカートリッジは、シャッターと、レバーとを備えてもよい。シャッターは、トナー排出口を閉鎖する閉位置と、トナー排出口を開放する開位置との間を移動可能である。レバーは、シャッターを移動させる。レバーは、シャッターを閉位置に位置させる第１位置と、シャッターを開位置に位置させる第２位置との間を移動可能である。
【００２９】
（１２）廃トナー収容器は、レバーが第１位置に位置するとき、レバーが廃トナー収容器に係合することにより、トナー収容器に対して移動不能となり、レバーが第２位置に位置するとき、レバーと廃トナー収容器との係合が解除されることにより、トナー収容器に対して移動可能となってもよい。
【００３０】
（１３）廃トナー搬送管は、廃トナー収容器に接続された状態で、トナーカートリッジがフレームに装着される装着位置と、トナーカートリッジがフレームから取り外される離脱位置との間を移動可能であってもよい。
【００３１】
（１４）フレームは、第１ガイドを有してもよい。第１ガイドは、トナーカートリッジがドラムカートリッジに装着されるときに、廃トナー収容器を案内する。現像器は、第２ガイドを有してもよい。第２ガイドは、トナーカートリッジがドラムカートリッジに装着されるときに、トナー収容器を案内する。
【００３２】
（１５）本開示のトナーカートリッジは、トナー収容器と、廃トナー収容器とを備える。
【００３３】
トナー収容器は、トナーを収容可能である。トナー収容器は、トナーを排出するトナー排出口を有する。トナー収容器は、シャッターと、レバーとを備える。シャッターは、トナー排出口を閉鎖する閉位置と、トナー排出口を開放する開位置との間を移動可能である。レバーは、シャッターを移動させる。レバーは、シャッターを閉位置に位置させる第１位置と、シャッターを開位置に位置させる第２位置との間を移動可能である。
【００３４】
廃トナー収容器は、廃トナーを収容可能である。廃トナー収容器は、トナー収容器に対して移動可能に連結される。廃トナー収容器は、レバーが第１位置に位置するとき、レバーが廃トナー収容器に係合することにより、トナー収容器に対して移動不能となり、レバーが第２位置に位置するとき、レバーと廃トナー収容器との係合が解除されることにより、トナー収容器に対して移動可能となる。
【発明の効果】
【００３５】
本開示の画像形成装置によれば、ドラムカートリッジがドロワに装着され、ドロワが内側位置に位置する状態で、クリーニング部材が上下方向において感光ドラムと定着器との間に位置するような画像形成装置において、ドラムカートリッジとトナーカートリッジとを個別に交換することができる。
【図面の簡単な説明】
【００３６】
【図１】図１は、画像形成装置の概略構成図である。
【図２】図２は、図１に示すドロワが外側位置に位置する状態を示す。
【図３】図３は、図１に示すドラムカートリッジの平面図である。
【図４】図４は、図３に示すドラムカートリッジのＡ−Ａ断面図である。
【図５】図５は、図１に示すトナーカートリッジの平面図である。
【図６】図６Ａは、図５に示すトナーカートリッジの側面図である。図６Ｂは、図５に示すトナーカートリッジのＢ−Ｂ断面図である。図６Ｃは、図５に示すトナーカートリッジのＣ−Ｃ断面図である。
【図７】図７は、ドラムカートリッジに対するトナーカートリッジの装着を説明するための説明図であり、トナーカートリッジがドラムカートリッジに装着され、レバーが第１位置に位置する状態を示す。
【図８】図８は、図７とともにドラムカートリッジに対するトナーカートリッジの装着を説明するための説明図であり、トナーカートリッジがドラムカートリッジに装着され、レバーが第２位置に位置する状態を示す。
【図９】図９は、第２実施形態を説明するための説明図であって、トナーカートリッジがドラムカートリッジに装着された状態を示す。
【図１０】図１０は、図９に示す第１シャッターを説明する説明図であって、第１シャッターが閉位置に位置した状態を示す。
【図１１】図１１Ａは、図９に示すトナーカートリッジの側面図であって、レバーが第１位置に位置した状態を示す。図１１Ｂは、図９に示すトナーカートリッジの側面図であって、レバーが第２位置に位置した状態を示す。
【図１２】図１２は、第３実施形態を説明するための説明図であって、トナーカートリッジがドラムカートリッジに装着された状態を示す。
【図１３】図１３Ａは、図１２に示すトナーカートリッジの側面図であって、レバーが第１位置に位置した状態を示す。図１３Ｂは、図１２に示すトナーカートリッジの側面図であって、レバーが第２位置に位置した状態を示す。
【図１４】図１４は、ドラムカートリッジに対するトナーカートリッジの装着を説明するための説明図であり、トナーカートリッジが廃トナー搬送管に接続され、廃トナー搬送管が離脱位置に位置した状態を示す。
【図１５】図１５は、図１４とともにドラムカートリッジに対するトナーカートリッジの装着を説明するための説明図であり、廃トナー収容器が第１ガイドと第３ガイドとによって案内され、トナー収容器が第２ガイドによって案内されることを示す。
【発明を実施するための形態】
【００３７】
１．第１実施形態の画像形成装置の概略
図１および図２を参照して、第１実施形態の画像形成装置１の概略について説明する。
【００３８】
図１に示すように、画像形成装置１は、装置本体２と、給紙部３と、ドロワ４と、ドラムカートリッジ５と、露光器６と、トナーカートリッジ７と、転写ローラ８と、定着器９とを備える。
【００３９】
１．１  装置本体
装置本体２は、給紙部３と、ドロワ４と、ドラムカートリッジ５と、露光器６と、トナーカートリッジ７と、転写ローラ８と、定着器９とを収容する。装置本体２は、開口２Ａと、カバー２Ｂとを有する。
【００４０】
開口２Ａは、ドラムカートリッジ５が装置本体２に装着された状態で、ドラムカートリッジ５に対して、転写ローラ８の反対側に位置する。
【００４１】
カバー２Ｂは、開口２Ａを閉鎖する閉位置（図１参照）と、開口２Ａを開放する開位置（図２参照）との間を移動可能である。
【００４２】
１．２  給紙部
給紙部３は、感光ドラム１３に印刷媒体Ｐを供給するように構成される。印刷媒体Ｐは、例えば、印刷用紙である。感光ドラム１３については、後で説明する。給紙部３は、給紙トレイ１０と、ピックアップローラ１１と、給紙ローラ１２とを備える。給紙トレイ１０は、印刷媒体Ｐを収容するように構成される。ピックアップローラ１１は、給紙トレイ１０内の印刷媒体Ｐを給紙ローラ１２に向かって搬送するように構成される。給紙ローラ１２は、ピックアップローラ１１からの印刷媒体Ｐを感光ドラム１３に向かって搬送するように構成される。
【００４３】
１．３  ドロワ
ドロワ４は、カバー２Ｂが開位置に位置する状態で、内側位置（図１参照）と、外側位置（図２参照）との間を移動可能である。ドロワ４が内側位置に位置する場合、ドロワ４は、装置本体２内に位置する。ドロワ４が外側位置に位置する場合、ドロワ４は、装置本体２外に位置する。ドロワ４は、ドラムカートリッジ５を支持する。ドロワ４は、ドラムカートリッジ５を支持した状態で、内側位置と外側位置との間を移動可能である。
【００４４】
１．４  ドラムカートリッジ
ドラムカートリッジ５は、ドロワ４に装着可能である。ドラムカートリッジ５は、感光ドラム１３と、帯電ローラ１４と、現像器１５とを備える。
【００４５】
感光ドラム１３は、回転軸線Ａ１について回転可能である。感光ドラム１３の回転軸線Ａ１が延びる方向を軸線方向と定義する。感光ドラム１３は、軸線方向に延び、円筒形状を有する。
【００４６】
帯電ローラ１４は、感光ドラム１３の周面を帯電させる。帯電ローラ１４は、感光ドラム１３の周面に接触する。なお、ドラムカートリッジ５は、帯電ローラ１４の代わりに、スコロトロン型帯電器などの非接触の帯電器を備えてもよい。
【００４７】
現像器１５は、感光ドラム１３に対して移動可能である。現像器１５は、現像ローラ１６を備える。
【００４８】
現像ローラ１６は、感光ドラム１３に接触する。現像ローラ１６は、現像器１５内のトナーを感光ドラム１３に供給可能である。これにより、現像ローラ１６は、感光ドラム１３に形成された潜像をトナーで現像して、感光ドラム１３の周面にトナー像を形成する。
【００４９】
１．５  露光器
露光器６は、感光ドラム１３を露光して潜像を形成する。詳しくは、露光器６は、帯電ローラ１４によって帯電された感光ドラム１３の周面を露光する。これにより、感光ドラム１３の周面に、潜像が、形成される。露光器６は、ドロワ４の上方に位置する。具体的には、露光器６は、レーザースキャンユニットである。
【００５０】
１．６  トナーカートリッジ
トナーカートリッジ７は、ドラムカートリッジ５に装着可能である。トナーカートリッジ７は、トナー収容器１７と、廃トナー収容器１８とを有する。トナー収容器１７は、現像ローラ１６に供給されるトナーを収容可能である。廃トナー収容器１８は、廃トナーを収容可能である。廃トナーとは、クリーニング部材２２Ｂによって感光ドラム１３の周面から取り除かれたトナーである。クリーニング部材２２Ｂについては、後で説明する。
【００５１】
１．７  転写ローラ
転写ローラ８は、ドラムカートリッジ５がドロワ４に装着され、ドロワ４が内側位置に位置した状態で、感光ドラム１３と接触する。給紙トレイ１０からの印刷媒体Ｐは、転写ローラ８と感光ドラム１３との間を通る。このとき、転写ローラ８は、感光ドラム１３の周面に形成されたトナー像を、印刷媒体Ｐに転写する。
【００５２】
１．８  定着器
定着器９は、トナー像が転写された印刷媒体Ｐを加熱および加圧して、感光ドラム１３から印刷媒体Ｐに転写されたトナー像を、印刷媒体Ｐに定着させる。定着器９を通過した印刷媒体Ｐは、装置本体２の上面に排紙される。定着器９は、ドラムカートリッジ５がドロワ４に装着され、ドロワ４が内側位置に位置する状態で、感光ドラム１３の上方に間隔を隔てて位置する。すなわち、画像形成装置１は、鉛直方向において定着器９が感光ドラム１３よりも上方に位置するように、水平な台などの上に設置される。
【００５３】
２．ドラムカートリッジの詳細
次に、図３および図４を参照して、ドラムカートリッジ５の詳細について説明する。
【００５４】
ドラムカートリッジ５は、上記した感光ドラム１３、帯電ローラ１４および現像器１５に加えて、フレーム２１と、ドラムクリーナー２２と、廃トナー搬送管２３と、第１スクリュー２４と、第２スクリュー２５と、シャフト２６と、シール部材２７（図４参照）とを備える。
【００５５】
２．１  フレーム
フレーム２１は、感光ドラム１３、帯電ローラ１４、現像器１５、ドラムクリーナー２２と、廃トナー搬送管２３および第１スクリュー２４を支持する。フレーム２１は、第１側板２１Ａと、第２側板２１Ｂとを備える。
【００５６】
第１側板２１Ａは、図３に示すように、軸線方向におけるフレーム２１の一端に位置する。第１側板２１Ａは、第１方向に延びる。第１方向は、軸線方向と交差する。好ましくは、第１方向は、軸線方向と直交する。第１方向は、感光ドラム１３から廃トナー搬送管２３の第２部分２３Ｂへ向かう方向である。ドラムカートリッジ５がドロワ４に装着された状態で、第１方向は、ドロワ４が内側位置から外側位置へ移動する方向と同じ方向である。
【００５７】
第２側板２１Ｂは、軸線方向におけるフレーム２１の他端に位置する。第２側板２１Ｂは、第１方向に延びる。第２側板２１Ｂは、軸線方向において、第１側板２１Ａと間隔を隔てて位置する。
【００５８】
２．２  ドラムクリーナー
ドラムクリーナー２２は、図４に示すように、ドラムクリーナーフレーム２２Ａと、クリーニング部材２２Ｂとを備える。すなわち、ドラムカートリッジ５は、クリーニング部材２２Ｂを備える。
【００５９】
ドラムクリーナーフレーム２２Ａは、クリーニング部材２２Ｂによって感光ドラム１３の周面から取り除かれた廃トナーを、収容する。ドラムクリーナーフレーム２２Ａは、軸線方向において、第１側板２１Ａ（図３参照）と第２側板２１Ｂ（図３参照）との間に位置する。ドラムクリーナーフレーム２２Ａは、軸線方向に延びる。ドラムカートリッジ５がドロワ４に装着された状態で、ドラムクリーナーフレーム２２Ａは、感光ドラム１３の上方に位置する。また、ドラムカートリッジ５がドロワ４に装着され、ドロワ４が内側位置に位置する状態で、ドラムクリーナーフレーム２２Ａは、感光ドラム１３と定着器９（図１参照）との間に位置する。ドラムクリーナーフレーム２２Ａは、廃トナーを受け入れるための開口２２Ｃを有する。開口２２Ｃは、ドラムクリーナーフレーム２２Ａの内部空間に通じる。
【００６０】
クリーニング部材２２Ｂは、感光ドラム１３をクリーニングする。クリーニング部材２２Ｂは、ドラムクリーナーフレーム２２Ａに取り付けられる。クリーニング部材２２Ｂは、軸線方向に延び、板形状を有する。クリーニング部材２２Ｂのエッジは、開口２２Ｃ内に位置する。クリーニング部材２２Ｂのエッジは、感光ドラム１３の周面に接触する。これにより、感光ドラム１３が回転したときに、感光ドラム１３の周面に付着したトナーは、クリーニング部材２２Ｂのエッジによって掻き取られ、開口２２Ｃを介してドラムクリーナーフレーム２２Ａ内に収容される。ドラムカートリッジ５がドロワ４に装着された状態で、クリーニング部材２２Ｂは、感光ドラム１３の上方に位置する。また、図１に示すように、ドラムカートリッジ５がドロワ４に装着され、ドロワ４が内側位置に位置する状態で、クリーニング部材２２Ｂは、上下方向において、感光ドラム１３と定着器９との間に位置する。
【００６１】
２．３  廃トナー搬送管
図３に示すように、廃トナー搬送管２３は、クリーニング部材２２Ｂ（図４参照）によって感光ドラム１３から除去された廃トナーを搬送する。廃トナー搬送管２３は、第１部分２３Ａと、第２部分２３Ｂとを有する。
【００６２】
第１部分２３Ａは、ドラムクリーナー２２と第２部分２３Ｂとを繋ぐ。第１部分２３Ａは、第１側板２１Ａに支持される。第１部分２３Ａは、軸線方向において、第１側板２１Ａに対して第２側板２１Ｂの反対側に位置する。第１部分２３Ａは、第１方向に延びる。
【００６３】
第２部分２３Ｂは、軸線方向において、第１側板２１Ａと第２側板２１Ｂとの間に位置する。第２部分２３Ｂは、軸線方向に延びる円筒形状を有する。第２部分２３Ｂは、図３および図４に示すように、廃トナー排出口２８を有する。すなわち、廃トナー搬送管２３は、廃トナー排出口２８を有する。
【００６４】
廃トナー排出口２８は、廃トナー搬送管２３内の廃トナーを排出する。廃トナー排出口２８は、軸線方向において、第１側板２１Ａと第２側板２１Ｂとの間の、ほぼ中央付近にに位置する。
【００６５】
２．４  第１スクリュー
第１スクリュー２４は、図３および図４に示すように、ドラムクリーナーフレーム２２Ａ内に位置する。第１スクリュー２４は、軸線方向に延びる。これにより、第１スクリュー２４は、ドラムクリーナーフレーム２２Ａ内の廃トナーを軸線方向に搬送可能である。第１スクリュー２４は、具体的には、オーガスクリューである。
【００６６】
２．５  第２スクリュー
第２スクリュー２５は、図３に示すように、廃トナー搬送管２３内に位置する。第２スクリュー２５は、廃トナー搬送管２３が延びる方向に延びる。第２スクリュー２５は、第１スクリュー２４によって搬送された廃トナーを、廃トナー排出口２８まで搬送する。第２スクリュー２５は、具体的には、シャフトレス・スクリューである。
【００６７】
２．６  シャフト
シャフト２６は、図３および図４に示すように、第１方向において、感光ドラム１３と廃トナー搬送管２３との間に位置する。シャフト２６は、軸線方向に延びる。詳しくは、シャフト２６は、現像器１５の揺動軸Ａ２（図４参照）に沿って延びる。シャフト２６は、円柱形状を有する。シャフト２６は、フレーム２１に支持される。詳しくは、シャフト２６は、軸線方向において、一端部と他端部とを有する。他端部は、軸線方向において、一端部から離れて位置する。シャフト２６の一端部は、第１側板２１Ａを貫通する。シャフト２６の他端部は、第２側板２１Ｂを貫通する。シャフト２６の一端部が第１側板２１Ａを貫通し、シャフト２６の他端部が第２側板２１Ｂを貫通することにより、シャフト２６は、フレーム２１に支持される。
【００６８】
２．７  現像器
現像器１５は、図４に示すように、上記した上記した現像ローラ１６に加えて、現像フレーム３１、第１シャッター３２、レバー３３Ａ、および、レバー３３Ｂ（図３参照）を備える。
【００６９】
２．７．１  現像フレーム
現像フレーム３１は、図３に示すように、軸線方向において、第１側板２１Ａと第２側板２１Ｂとの間に位置する。現像フレーム３１は、軸線方向に延びる。現像フレーム３１は、図４に示すように、シャフト２６に取り付けられる。現像フレーム３１は、シャフト２６について揺動可能である。現像フレーム３１がシャフト２６に取り付けられることにより、現像器１５は、揺動軸Ａ２について揺動可能に、フレーム２１に支持される。現像器１５は、揺動軸Ａ２について揺動可能にフレーム２１に支持されることにより、感光ドラム１３に対して移動可能である。これにより、現像器１５は、感光ドラム１３と現像ローラ１６とが回転するときに生じる現像ローラ１６の振動に合わせて、感光ドラム１３に対して移動することができる。
【００７０】
現像フレーム３１は、トナー収容部３１Ａと、トナーカートリッジ支持部３１Ｂを有する。
【００７１】
トナー収容部３１Ａは、第１方向において、トナーカートリッジ支持部３１Ｂと、感光ドラム１３との間に位置する。トナー収容部３１Ａは、現像ローラ１６を支持する。トナー収容部３１Ａは、現像ローラ１６に供給されるトナーを収容する。
【００７２】
トナーカートリッジ支持部３１Ｂは、トナーカートリッジ７（図８参照）がドラムカートリッジ５に装着された状態で、トナーカートリッジ７を支持する。トナーカートリッジ支持部３１Ｂは、トレイ形状を有する。詳しくは、トナーカートリッジ支持部３１Ｂは、第３側板３４Ａと、第４側板３４Ｂ（図３参照）と、仕切板３５とを有する。
【００７３】
第３側板３４Ａは、図３に示すように、軸線方向におけるトナーカートリッジ支持部３１Ｂの一端に位置する。第３側板３４Ａは、第１方向に延びる。第３側板３４Ａは、図４に示すように、ガイド溝３４１を有する。ガイド溝３４１は、第１方向に延びる。トナーカートリッジ７がドラムカートリッジ５に装着された状態で、ガイド溝３４１には、トナーカートリッジ７のリブ４６Ａ（図５参照）が嵌まる。リブ４６Ａについては、後で説明する。
【００７４】
第４側板３４Ｂは、図３に示すように、軸線方向におけるトナーカートリッジ支持部３１Ｂの他端に位置する。第４側板３４Ｂは、第１方向に延びる。第４側板３４Ｂは、軸線方向において、第３側板３４Ａと間隔を隔てて位置する。トナーカートリッジ７がドラムカートリッジ５に装着された状態で、トナーカートリッジ７は、軸線方向において、第３側板３４Ａと、第４側板３４Ｂとの間に位置する。第４側板３４Ｂは、第３側板３４Ａのガイド溝３４１と同じ形状のガイド溝を有する。第４側板３４Ｂのガイド溝は、図示されていない。トナーカートリッジ７がドラムカートリッジ５に装着された状態で、第４側板３４Ｂのガイド溝には、トナーカートリッジ７のリブ４６Ｂ（図５参照）が嵌まる。リブ４６Ｂについては、後で説明する。
【００７５】
仕切板３５は、軸線方向において、第３側板３４Ａと第４側板３４Ｂとの間に位置する。仕切板３５は、軸線方向に延びる。軸線方向における仕切板３５の一端は、第３側板３４Ａに接続する。軸線方向における仕切板３５の他端は、第４側板３４Ｂに接続する。仕切板３５は、図４に示すように、トナー収容部３１Ａとトナーカートリッジ支持部３１Ｂとを仕切る。仕切板３５は、トナーカートリッジ７（図８参照）がドラムカートリッジ５に装着された状態で、トナーカートリッジ７の外面に沿う。具体的には、仕切板３５は、半円筒形状を有する。仕切板３５は、トナー受入口３５Ａと、開口３５Ｂとを有する。すなわち、現像器１５は、トナー受入口３５Ａと、開口３５Ｂとを有する。
【００７６】
図８に示すように、トナー受入口３５Ａは、トナーカートリッジ７がドラムカートリッジ５に装着され、第１シャッター３２が開位置に位置し、第２シャッター４２が開位置に位置する状態で、トナーを受け入れ可能である。第１シャッター３２および第２シャッター４２については、後で説明する。トナー受入口３５Ａは、トナー収容部３１Ａの内部空間と通じる。トナー受入口３５Ａは、軸線方向において、第３側板３４Ａ（図３参照）と第４側板３４Ｂ（図３参照）との間に位置する。トナー受入口３５Ａは、軸線方向において、現像フレーム３１の中央に位置する。
【００７７】
開口３５Ｂは、仕切板３５の円周方向において、トナー受入口３５Ａから離れて位置する。言い換えると、開口３５Ｂは、第１シャッター３２の移動方向において、トナー受入口３５Ａから離れて位置する。開口３５Ｂは、軸線方向において、現像フレーム３１の中央に位置する。開口３５Ｂは、第１シャッター３２の移動方向において、トナー受入口３５Ａと並ぶ。開口３５Ｂは、廃トナー搬送管２３の廃トナー排出口２８と通じる。また、開口３５Ｂは、トナーカートリッジ７が現像器１５に装着され、第１シャッター３２が開位置に位置し、第２シャッター４２が開位置に位置する状態で、トナーカートリッジ７の廃トナー受入口４５と通じる。第２シャッター４２および廃トナー受入口４５については、後で説明する。
【００７８】
２．７．２  第１シャッター
第１シャッター３２は、図４および図８に示すように、開口３５Ｂを閉鎖する閉位置（図４参照）と、開口３５Ｂを開放する開位置（図８参照）との間を、現像フレーム３１に対して移動可能である。第１シャッター３２は、仕切板３５に沿う半円筒形状を有する。第１シャッター３２は、軸線方向に延びる。第１シャッター３２は、仕切板３５の湾曲に沿って、仕切板３５の円周方向に移動可能である。第１シャッター３２は、開口３２Ａと、開口３２Ｂとを有する。
【００７９】
開口３２Ａは、図８に示すように、第１シャッター３２が開位置に位置する状態で、トナー受入口３５Ａと通じる。これにより、第１シャッター３２が開位置に位置する状態で、第１シャッター３２は、トナー受入口３５Ａを開放する。また、図４に示すように、開口３２Ａは、第１シャッター３２が閉位置に位置する状態で、トナー受入口３５Ａから離れて位置し、トナー受入口３５Ａと通じない。この場合、第１シャッター３２は、トナー受入口３５Ａを覆う。これにより、第１シャッター３２が閉位置に位置するとき、第１シャッター３２は、トナー受入口３５Ａを閉鎖する。開口３２Ａは、軸線方向において、第１シャッター３２の中央に位置する。
【００８０】
開口３２Ｂは、図８に示すように、第１シャッター３２が開位置に位置する状態で、開口３５Ｂと通じる。つまり、第１シャッター３２は、開位置に位置するとき、開口３５Ｂとトナー受入口３５Ａとを開放する。また、開口３２Ｂは、図４に示すように、第１シャッター３２が閉位置に位置する状態で、開口３５Ｂから離れて位置し、開口３５Ｂと通じない。この場合、第１シャッター３２は、開口３５Ｂを覆う。つまり、第１シャッター３２は、閉位置に位置するとき、開口３５Ｂとトナー受入口３５Ａとを閉鎖する。開口３２Ｂは、第１シャッター３２の移動方向において、開口３２Ａと並ぶ。開口３２Ｂは、軸線方向において、第１シャッター３２の中央に位置する。
【００８１】
２．７．３  ２つのレバー
レバー３３Ａは、図４および図８に示すように、トナーカートリッジ７がドラムカートリッジ５に装着された状態で、第１シャッター３２を閉位置に位置させる第１位置（図４参照）と、第１シャッター３２を開位置に位置させる第２位置（図８参照）との間を、現像フレーム３１に対して移動可能である。レバー３３Ａは、軸線方向における第１シャッター３２の一端に接続する。レバー３３Ａは、トナーカートリッジ７がドラムカートリッジ５に装着された状態で、第１位置と第２位置との間を、第３軸Ａ３について回動可能である。レバー３３Ａは、図４に示すように、ガイド溝３３１と、ガイド溝３３２とを有する。
【００８２】
ガイド溝３３１は、レバー３３Ａが第１位置に位置する状態で、第１方向において、第１シャッター３２とガイド溝３４１との間に位置する。トナーカートリッジ７がドラムカートリッジ５に装着された状態で、ガイド溝３３１には、トナーカートリッジ７のリブ４８（図５参照）が嵌まる。リブ４８については、後で説明する。ガイド溝３３１は、レバー３３Ａが第１位置に位置する状態で、第１方向に延びる。ガイド溝３３１は、レバー３３Ａが第１位置に位置する状態で、第１方向において、ガイド溝３４１と連続する。
【００８３】
ガイド溝３３２は、レバー３３Ａが第１位置に位置する状態で、第１方向において、ガイド溝３４１に対して、ガイド溝３３１の反対側に位置する。トナーカートリッジ７がドラムカートリッジ５に装着された状態で、ガイド溝３３２には、トナーカートリッジ７のリブ４９（図５参照）が嵌まる。リブ４９については、後で説明する。ガイド溝３３２は、レバー３３Ａが第１位置に位置する状態で、第１方向に延びる。ガイド溝３３２は、レバー３３Ａが第１位置に位置する状態で、第１方向において、ガイド溝３４１と連続する。
【００８４】
レバー３３Ａが第１位置に位置する状態で、ガイド溝３３１、ガイド溝３４１およびガイド溝３３２は、ともに、第１方向に延びる直線形状の溝を形成する。これにより、ユーザーがトナーカートリッジ７をドラムカートリッジ５に装着するとき、トナーカートリッジ７のリブ４８を、ガイド溝３３２およびガイド溝３４１を介して、ガイド溝３３１までガイドできる。また、ユーザーがトナーカートリッジ７をドラムカートリッジ５に装着するとき、トナーカートリッジ７のリブ４６Ａを、ガイド溝３３２を介して、ガイド溝３４１までガイドできる。
【００８５】
一方、図８に示すように、レバー３３Ａが第２位置に位置する状態で、ガイド溝３３１およびガイド溝３３２は、ガイド溝３４１に対して傾斜する。これにより、トナーカートリッジ７がドラムカートリッジ５に装着された状態で、レバー３３Ａが第２位置に位置する場合、トナーカートリッジ７のリブ４８は、ガイド溝３３１からガイド溝３４１へ通らず、トナーカートリッジ７のリブ４６Ａは、ガイド溝３４１からガイド溝３３２へ通らない。そのため、トナーカートリッジ７がドラムカートリッジ５に装着された状態で、レバー３３Ａが第２位置に位置する場合、トナーカートリッジ７は、ドラムカートリッジ５から取り外すことができない。
【００８６】
２．８  シール部材
シール部材２７は、図４に示すように、現像器１５の仕切板３５と廃トナー搬送管２３との間に位置する。シール部材２７は、廃トナー排出口２８と開口３５Ｂとの間をシールする。シール部材２７は、廃トナー排出口２８の周りを囲むとともに、開口３５Ｂの周りを囲む。これにより、シール部材２７は、廃トナー排出口２８と開口３５Ｂとの間から廃トナーが漏れることを防ぐ。シール部材２７は、現像器１５が感光ドラム１３に対して移動するときに変形可能である。詳しくは、現像器１５が感光ドラム１３から離れる方向へ移動する場合、シール部材２７は、仕切板３５によって押圧されることにより、開口３５Ｂが廃トナー排出口２８に近づく方向へ縮む。また、現像器１５が感光ドラム１３に近づく方向へ移動する場合、シール部材２７は、弾力によって縮んだ状態から復元し、開口３５Ｂが廃トナー排出口２８から離れる方向へ向かって、仕切板３５を押圧する。
【００８７】
３．  トナーカートリッジの詳細
次に、図５から図６Ｃを参照して、トナーカートリッジ７の詳細について説明する。
【００８８】
図５に示すトナーカートリッジ７は、現像器１５のトナーカートリッジ支持部３１Ｂ（図３参照）に装着可能である。トナーカートリッジ７は、現像器１５に装着された状態（図８参照）で、現像器１５とともに感光ドラム１３に対して移動可能である。トナーカートリッジ７は、筐体４１と、第２シャッター４２とを有する。
【００８９】
３．１  筐体
筐体４１は、現像ローラ１６に供給されるトナーを収容可能である。筐体４１は、図６Ａに示すように、第１円筒部４１Ａと、第２円筒部４１Ｂとを有する。
【００９０】
第１円筒部４１Ａは、円筒形状を有する。第１円筒部４１Ａは、トナーカートリッジ７がドラムカートリッジ５に装着された状態で、軸線方向に延びる。
【００９１】
第２円筒部４１Ｂは、円筒形状を有する。第２円筒部４１Ｂは、トナーカートリッジ７がドラムカートリッジ５に装着された状態で、軸線方向に延びる。第２円筒部４１Ｂは、トナーカートリッジ７がドラムカートリッジ５に装着された状態で、第１方向において、第１円筒部４１Ａと並ぶ。言い換えると、第２円筒部４１Ｂは、トナーカートリッジ７がドラムカートリッジ５に装着された状態で、第１円筒部４１Ａの径方向において、第１円筒部４１Ａと並ぶ。軸線方向における第２円筒部４１Ｂの一部は、図５および図６Ｃに示すように、第１方向において、第１円筒部４１Ａと接続する。言い換えると、軸線方向における第２円筒部４１Ｂの一部は、第１円筒部４１Ａの径方向において、第１円筒部４１Ａと接続する。詳しくは、軸線方向における第２円筒部４１Ｂの両端部のそれぞれは、第１方向において、第１円筒部４１Ａと接続し、図５および図６Ｂに示すように、軸線方向における第２円筒部４１Ｂの中央部は、第１方向において、第１円筒部４１Ａから離れて位置する。第２円筒部４１Ｂの内部空間は、第１円筒部４１Ａと第２円筒部４１Ｂとが接続する部分において、第１円筒部４１Ａの内部空間と通じる。
【００９２】
このような筐体４１において、径方向における第１円筒部４１Ａの一部、および、径方向における第２円筒部４１Ｂの一部は、廃トナー収容器１８として画定される。廃トナー収容器１８内には、廃トナーを搬送するためのベルトコンベアー１８Ａが、設けられる。また、筐体４１のうち、廃トナー収容器１８以外の部分は、トナー収容器１７である。トナー収容器１７内には、トナーを撹拌するためのアジテータ１７Ａ、１７Ｂが、設けられる。アジテータ１７Ａは、第１円筒部４１Ａ内に位置し、アジテータ１７Ｂは、第２円筒部４１Ｂ内に位置する。
【００９３】
また、筐体４１は、図５および図６Ｂに示すように、トナー排出口４４と、廃トナー受入口４５と、リブ４６Ａと、リブ４６Ｂとを有する。すなわち、トナーカートリッジ７は、トナー排出口４４と、廃トナー受入口４５とを有する。
【００９４】
トナー排出口４４は、図６Ｂに示すように、第１円筒部４１Ａの周面に位置する。トナー排出口４４は、トナー収容器１７の内部空間と通じる。トナー排出口４４は、第１円筒部４１Ａ内のトナーを排出可能である。
【００９５】
廃トナー受入口４５は、第１円筒部４１Ａの周面に位置する。廃トナー受入口４５は、第１円筒部４１Ａの円周方向において、トナー排出口４４から離れて位置する。言い換えると、廃トナー受入口４５は、第２シャッター４２の移動方向において、トナー排出口４４から離れて位置する。廃トナー受入口４５は、第２シャッター４２の移動方向において、トナー排出口４４と並ぶ。廃トナー受入口４５は、廃トナー収容器１８と通じる。廃トナー受入口４５は、図８に示すように、トナーカートリッジ７がドラムカートリッジ５に装着され、第１シャッター３２が開位置に位置し、第２シャッター４２が開位置に位置した状態で、廃トナー搬送管２３からの廃トナーを受け入れ可能である。
【００９６】
リブ４６Ａは、図５に示すように、軸線方向における第１円筒部４１Ａの一方の側面に位置する。リブ４６Ａは、軸線方向における第１円筒部４１Ａの一方の側面から突出する。リブ４６Ａは、第１円筒部４１Ａの径方向に延びる。リブ４６Ａは、トナーカートリッジ７がドラムカートリッジ５に装着された状態で、第１方向に延びる。リブ４６Ａは、トナーカートリッジ７がドラムカートリッジ５に装着された状態で、ドラムカートリッジ５の第３側板３４Ａのガイド溝３４１（図４参照）に嵌まる。
【００９７】
リブ４６Ｂは、軸線方向において、リブ４６Ａから離れて位置する。リブ４６Ｂは、軸線方向における第１円筒部４１Ａの他方の側面に位置する。リブ４６Ｂは、軸線方向における第１円筒部４１Ａの他方の側面から突出する。リブ４６Ｂは、第１円筒部４１Ａの径方向に延びる。リブ４６Ｂは、トナーカートリッジ７がドラムカートリッジ５に装着された状態で、第１方向に延びる。リブ４６Ｂは、トナーカートリッジ７がドラムカートリッジ５に装着された状態で、ドラムカートリッジ５の第４側板３４Ｂのガイド溝３４１（図示せず）に嵌まる。
【００９８】
３．２  第２シャッター
第２シャッター４２は、閉位置（図６Ｂ参照）と開位置（図８参照）との間を、第１円筒部４１Ａに対して移動可能である。第２シャッター４２は、図５に示すように、円筒部４２Ａと、第１側板４２Ｂと、第２側板４２Ｃとを有する。
【００９９】
円筒部４２Ａは、第１円筒部４１Ａの周面を覆う。円筒部４２Ａは、軸線方向に延びる。円筒部４２Ａは、円筒形状を有する。円筒部４２Ａは、第１開口４２１（図６Ｂ参照）、第２開口４２２、第３開口４２３および第４開口４２４を有する。
【０１００】
第１開口４２１は、図８に示すように、第２シャッター４２が開位置に位置する状態で、トナー排出口４４と通じる。これにより、第２シャッター４２は、開位置に位置するとき、トナー排出口４４を開放する。また、第１開口４２１は、図６Ｂに示すように、第２シャッター４２が閉位置に位置する状態で、トナー排出口４４から離れ、トナー排出口４４と通じない。この場合、第２シャッター４２の円筒部４２Ａは、トナー排出口４４を覆う。これにより、第２シャッター４２は、閉位置に位置するとき、トナー排出口４４を閉鎖する。
【０１０１】
第２開口４２２は、円筒部４２Ａの円周方向において、第１開口４２１から離れて位置する。第２開口４２２は、図８に示すように、第２シャッター４２が開位置に位置する状態で、廃トナー受入口４５と通じる。これにより、第２シャッター４２は、開位置に位置するとき、廃トナー受入口４５を開放する。また、第２開口４２２は、図６Ｂに示すように、第２シャッター４２が閉位置に位置する状態で、廃トナー受入口４５から離れ、廃トナー受入口４５と通じない。この場合、第２シャッター４２の円筒部４２Ａは、廃トナー受入口４５を覆う。これにより、第２シャッター４２は、閉位置に位置するとき、廃トナー受入口４５を閉鎖する。
【０１０２】
第３開口４２３は、図５に示すように、軸線方向において、第２開口４２２から離れて位置する。第３開口４２３には、第１円筒部４１Ａと第２円筒部４１Ｂとの接続部分が通る。
【０１０３】
第４開口４２４は、軸線方向において、第２開口４２２に対して、第３開口４２３の反対側に位置する。第４開口４２４は、軸線方向において、第２開口４２２から離れて位置する。第４開口４２４には、第１円筒部４１Ａと第２円筒部４１Ｂとの接続部分が通る。
【０１０４】
第１側板４２Ｂは、軸線方向における第１円筒部４１Ａの一方の側面を覆う。第１側板４２Ｂは、軸線方向における円筒部４２Ａの一端部に接続する。なお、第１側板４２Ｂは、第２側板４２Ｃと同じ構造を有し、第２側板４２Ｃと同様に説明できる。そのため、第１側板４２Ｂの構造について説明を省略し、第２側板４２Ｃの構造について詳細に説明する。
【０１０５】
第２側板４２Ｃは、軸線方向における第１円筒部４１Ａの他方の側面を覆う。第２側板４２Ｃは、軸線方向における円筒部４２Ａの他端部に接続する。第２側板４２Ｃは、軸線方向において、第１側板４２Ｂから離れて位置する。第２側板４２Ｃは、図６Ａに示すように、円形状を有する。第２側板４２Ｃは、開口４７と、リブ４８と、リブ４９とを有する。
【０１０６】
開口４７は、第１円筒部４１Ａのリブ４６Ｂを露出する。開口４７は、第２側板４２Ｃの径方向において、第２側板４２Ｃの中央に位置する。開口４７は、円形状を有する。
【０１０７】
リブ４８は、第２側板４２Ｃから突出する。リブ４８は、第２側板４２Ｃの径方向に延びる。リブ４８は、第２シャッター４２が閉位置に位置した状態で、第１方向に延びる。リブ４８は、トナーカートリッジ７がドラムカートリッジ５に装着された状態で、ドラムカートリッジ５の第４側板３４Ｂ（図３参照）のガイド溝３３１に嵌まる。
【０１０８】
リブ４９は、第２側板４２Ｃから突出する。リブ４９は、第２側板４２Ｃの径方向に延びる。リブ４９は、第２シャッター４２が閉位置に位置した状態で、第１方向において、開口４７に対して、リブ４８の反対側に位置する。第２シャッター４２が閉位置に位置する状態で、リブ４９は、リブ４６Ｂおよびリブ４８とともに、第１方向に延びる直線形状のリブを形成する。リブ４９は、トナーカートリッジ７がドラムカートリッジ５に装着された状態で、ドラムカートリッジ５の第４側板３４Ｂ（図３参照）のガイド溝３３２に嵌まる。
【０１０９】
第１側板４２Ｂのリブ４８がレバー３３Ａのガイド溝３３１に嵌まり、第１側板４２Ｂのリブ４９がレバー３３Ａのガイド溝３３２に嵌まることにより、レバー３３Ａと第１側板４２Ｂとは、接続され、ともに回転可能となる。また、第２側板４２Ｃのリブ４８がレバー３３Ｂのガイド溝３３１に嵌まり、第２側板４２Ｃのリブ４９がレバー３３Ｂのガイド溝３３２に嵌まることにより、レバー３３Ｂと第２側板４２Ｃとは、接続され、ともに回転可能となる。
【０１１０】
第１側板４２Ｂがレバー３３Ａとともに回転し、第２側板４２Ｃがレバー３３Ｂとともに回転することにより、第１シャッター３２および第２シャッター４２は、ともに移動する。つまり、第１シャッター３２および第２シャッター４２は、トナーカートリッジ７がドラムカートリッジ５に装着された状態で、ともに移動可能である。
【０１１１】
４．ドラムカートリッジに対するトナーカートリッジの着脱
次に、図２、図７および図８を参照して、ドラムカートリッジ５に対するトナーカートリッジ７の着脱について説明する。
【０１１２】
ユーザーは、図２に示すように、ドラムカートリッジ５が装着されたドロワ４が外側位置に位置する状態で、ドラムカートリッジ５に対してトナーカートリッジ７を着脱可能である。
【０１１３】
詳しくは、ユーザーは、図７に示すように、レバー３３Ａが第１位置に位置し、レバー３３Ｂ（図３参照）が第１位置に位置する状態で、図７に示すように、トナーカートリッジ７をドラムカートリッジ５に装着する。このとき、レバー３３Ａが第１位置に位置し、レバー３３Ｂが第１位置に位置することにより、第１シャッター３２は、閉位置に位置する。また、第２シャッター４２も、閉位置に位置する。
【０１１４】
トナーカートリッジ７をドラムカートリッジ５に装着すると、ガイド溝３３１（図７参照）にリブ４８（図５参照）が嵌まり、ガイド溝３３２（図７参照）にリブ４９（図５参照）が嵌まり、ガイド溝３４１（図７参照）にリブ４６Ａ（図５参照）が嵌まることにより、ドラムカートリッジ５のレバー３３Ａと、トナーカートリッジ７の第１側板４２Ｂとがともに回転可能となる。これにより、第１シャッター３２と第２シャッター４２とが、ともに移動可能となる。
【０１１５】
次に、ユーザーは、図７および図８に示すように、レバー３３Ａを第１位置から第２位置へ移動させるとともに、レバー３３Ｂ（図３参照）を第１位置から第２位置へ移動させる。
【０１１６】
すると、第１側板４２Ｂがレバー３３Ａとともに回転するとともに、第２側板４２Ｃがレバー３３Ｂとともに回転することにより、第１シャッター３２が閉位置から開位置へ移動し、第２シャッター４２が閉位置から開位置へ移動する。
【０１１７】
そして、図８に示すように、第１シャッター３２が開位置に位置し、第２シャッター４２が開位置に位置すると、ドラムカートリッジ５に対するトナーカートリッジ７の装着が完了する。
【０１１８】
また、ユーザーは、図７および図８に示すように、ドラムカートリッジ５からトナーカートリッジ７を離脱する場合、レバー３３Ａを第２位置から第１位置へ移動させるとともに、レバー３３Ｂを第２位置から第１位置へ移動させる。
【０１１９】
すると、第１側板４２Ｂがレバー３３Ａとともに回転するとともに、第２側板４２Ｃがレバー３３Ｂとともに回転することにより、第１シャッター３２が開位置から閉位置へ移動し、第２シャッター４２が開位置から閉位置へ移動する。
【０１２０】
そして、第１シャッター３２が閉位置に位置し、第２シャッター４２が閉位置に位置した後、ユーザーは、トナーカートリッジ７をドラムカートリッジ５から離脱する。
【０１２１】
なお、トナーカートリッジ７は、ドラムカートリッジ５がドロワ４から取り外された状態で、ドラムカートリッジ５に対して着脱されてもよい。
【０１２２】
５．作用効果
画像形成装置１では、図８に示すように、ドラムカートリッジ５は、ドロワ４に装着可能であり、トナーカートリッジ７は、ドラムカートリッジ５に装着可能である。
【０１２３】
そのため、ドラムカートリッジ５がドロワ４に装着され、ドロワ４が内側位置に位置する状態で、クリーニング部材２２Ｂが感光ドラム１３と定着器９との間に位置するような画像形成装置１において、図２に示すように、ドラムカートリッジ５とトナーカートリッジ７とを個別に交換することができる。
【０１２４】
これにより、ドラムカートリッジ５とトナーカートリッジ７とを、それぞれの寿命に応じて、適切な時期に交換することができる。
【０１２５】
また、画像形成装置１では、クリーニング部材２２Ｂによって除去された廃トナーを廃トナー搬送管２３（図５参照）を介して、廃トナー収容器１８（図１参照）に搬送し、図２に示すように、廃トナー収容器１８を、トナー収容器１７とともに交換することができる。
【０１２６】
また、画像形成装置１では、図４に示すように、現像器１５がフレーム２１に対して揺動可能に支持されていることにより、トナーカートリッジ７がドラムカートリッジ５に装着された状態で、トナーカートリッジ７は、現像器１５とともに感光ドラム１３に対して移動可能である。
【０１２７】
これにより、トナーカートリッジ７は、廃トナー収容器１８がドラムカートリッジ５に固定された状態で、感光ドラム１３と現像ローラ１６とが回転するときに生じる現像ローラ１６の振動に合わせて、現像器１５とともに感光ドラム１３に対して揺動することができる。
【０１２８】
６．第２実施形態
次に、図９から図１１Ｂを参照して、第２実施形態について説明する。第２実施形態において、第１実施形態と同様の部材には同じ符号を付し、説明を省略する。
【０１２９】
６．１  第２実施形態の概要
図９に示すように、トナーカートリッジ６０は、ドラムカートリッジ５０のフレーム５１に装着可能である。この場合、現像器１５は、トナーカートリッジ支持部３１Ｂを有さず、トナーカートリッジ６０がドラムカートリッジ５０に装着された状態で、感光ドラム１３およびトナーカートリッジ６０に対して移動可能である。
【０１３０】
以下、第２実施形態について詳しく説明する。
【０１３１】
６．２  ドラムカートリッジの詳細
ドラムカートリッジ５０のフレーム５１は、第１実施形態のドラムカートリッジ５のフレーム２１と異なり、トナーカートリッジ支持部５２と、壁５３と、第１シャッター５４と、シール部材５５と、廃トナー搬送管５６とを有する。
【０１３２】
６．２．１  トナーカートリッジ支持部
トナーカートリッジ支持部５２は、トナーカートリッジ６０がドラムカートリッジ５０に装着された状態で、トナーカートリッジ６０の筐体６３を支持する。トナーカートリッジ６０については、後で説明する。トナーカートリッジ支持部５２は、軸線方向において、第１側板２１Ａと第２側板２１Ｂとの間に位置する。トナーカートリッジ支持部５２は、軸線方向に延びる板形状を有する。
【０１３３】
６．２．２  壁
壁５３は、第１方向において、現像器１５とトナーカートリッジ支持部５２との間に位置する。壁５３は、トナーカートリッジ６０がフレーム５１に装着された状態で、トナーカートリッジ６０のトナー排出部６４を支持する。壁５３は、トナーカートリッジ６０がフレーム５１に装着された状態で、トナー排出口６４Ａとトナー受入口３５Ａとの間に位置する。また、壁５３は、軸線方向において、第１側板２１Ａと第２側板２１Ｂとの間に位置する。壁５３は、軸線方向に延びる半円筒形状を有する。壁５３は、開口５３Ａを有する。
【０１３４】
開口５３Ａは、軸線方向において、第１側板２１Ａと第２側板２１Ｂとの間に位置する。開口５３Ａは、トナー受入口３５Ａと通じる。
【０１３５】
６．２．３  第１シャッター
第１シャッター５４は、開口５３Ａを閉鎖する閉位置（図１０参照）と、開口５３Ａを開放する開位置（図９参照）との間を、壁５３に対して移動可能である。第１シャッター５４は、図１０に示すように、壁５３に沿う半円筒形状を有する。第１シャッター５４は、軸線方向に延びる。第１シャッター５４は、閉位置と開位置との間を、壁５３の円周方向に回転可能である。また、第１シャッター５４は、側板５４Ａと、図示しない側板５４Ｂとを有する。
【０１３６】
側板５４Ａは、軸線方向における第１シャッター５４の一端部に位置する。側板５４Ａは、溝５４１を有する。溝５４１には、トナーカートリッジ６０がフレーム５１に装着された状態で、トナーカートリッジ６０のリブ６７Ａ（図１１Ａ参照）が、嵌まる。リブ６７Ａについては、後で説明する。
【０１３７】
図示しない側板５４Ｂは、軸線方向において、側板５４Ａから離れて位置する。図示しない側板５４Ｂは、軸線方向における第１シャッター５４の他端部に位置する。図示しない側板５４Ｂは、側板５４Ａの溝５４１と同じ形状の溝を有する。
【０１３８】
６．２．４  シール部材
シール部材５５は、図９および図１０に示すように、壁５３と現像器１５との間に位置する。シール部材５５は、開口５３Ａとトナー受入口３５Ａとの間をシールする。シール部材５５は、開口５３Ａの周りを囲むとともにトナー受入口３５Ａの周りを囲む。これにより、シール部材５５は、開口５３Ａとトナー受入口３５Ａとの間から廃トナーが漏れることを防ぐ。シール部材５５は、現像器１５が感光ドラム１３に対して移動するときに変形可能である。詳しくは、現像器１５が感光ドラム１３から離れる方向へ移動する場合、シール部材５５は、現像器１５によって押圧されることにより、トナー受入口３５Ａが開口５３Ａに近づく方向へ縮む。また、現像器１５が感光ドラム１３に近づく方向へ移動する場合、シール部材５５は、弾力によって縮んだ状態から復元し、トナー受入口３５Ａが開口５３Ａから離れる方向へ向かって、現像器１５を押圧する。
【０１３９】
６．２．５  廃トナー搬送管
図９に示す廃トナー搬送管５６は、クリーニング部材２２Ｂ（図４参照）によって感光ドラム１３から除去された廃トナーを搬送する。廃トナー搬送管５６は、第１方向に延びる。廃トナー搬送管５６は、トナーカートリッジ６０がドラムカートリッジ５０に装着された状態で、トナーカートリッジ６０の廃トナー収容器６２と接続する。廃トナー搬送管５６は、廃トナー排出口５６Ａと、シャッター５６Ｂと、圧縮バネ５６Ｃとを有する。廃トナー排出口５６Ａは、廃トナー搬送管５６内の廃トナーを排出する。シャッター５６Ｂは、廃トナー排出口５６Ａを開放する開位置（図９参照）と、廃トナー排出口５６Ａを閉鎖する閉位置（図示せず）との間で移動可能である。圧縮バネ５６Ｃは、シャッター５６Ｂを、開位置から閉位置へ向かって押圧する。トナーカートリッジ６０がドラムカートリッジ５０に装着されるときに、シャッター５６Ｂは、廃トナー収容器６２と接触することにより、圧縮バネ５６Ｃの押圧力に抗して、開位置から閉位置へ移動する。また、トナーカートリッジ６０がドラムカートリッジ５０から取り外されるときに、シャッター５６Ｂは、圧縮バネ５６Ｃによって押圧されることにより、開位置から閉位置へ移動する。
【０１４０】
６．３  トナーカートリッジの詳細
トナーカートリッジ６０は、図９および図１１Ａに示すように、トナー収容器６１と廃トナー収容器６２とを備える。
【０１４１】
６．３．１  トナー収容器
トナー収容器６１は、筐体６３、トナー排出部６４、レバー６５、ギア６６およびギア６７を備える。
【０１４２】
筐体６３は、図９に示すように、現像ローラ１６に供給されるトナーを収容可能である。筐体６３内には、２つのアジテータ６３Ａ、６３Ｂが設けられる。アジテータ６３Ａは、アジテータ６３Ｂとトナー排出部６４との間に位置する。アジテータ６３Ａおよびアジテータ６３Ｂは、筐体６３内のトナーを撹拌するとともに、筐体６３内のトナーをトナー排出部６４に向かって搬送する。
【０１４３】
トナー排出部６４は、筐体６３内のトナーを排出可能である。トナー排出部６４は、筐体６３から延びる。トナー排出部６４の内部空間は、筐体６３の内部空間と通じる。これにより、筐体６３内のトナーは、トナー排出部６４内に流入する。トナー排出部６４は、トナー排出口６４Ａと、第２シャッター６４Ｂとを有する。
【０１４４】
トナー排出口６４Ａは、トナー排出部６４の内部空間と通じる。これにより、トナー排出口６４Ａは、トナー排出部６４内のトナーを排出可能である。
【０１４５】
第２シャッター６４Ｂは、閉位置（図１１Ａ参照）と、開位置（図９および図１１Ｂ参照）との間を移動可能である。第２シャッター６４Ｂは、開口６４Ｃを有する。開口６４Ｃは、第２シャッター６４Ｂが開位置に位置する場合に、トナー排出口６４Ａと通じる。これにより、第２シャッター６４Ｂは、開位置に位置する場合、トナー排出口６４Ａを開放する。また、開口６４Ｃは、第２シャッター６４Ｂが閉位置に位置する場合に、第２シャッター６４Ｂの移動方向においてトナー排出口６４Ａから離れ、トナー排出口６４Ａと通じない。この場合、第２シャッター６４Ｂは、トナー排出口６４Ａを覆う。これにより、第２シャッター６４Ｂは、閉位置に位置する場合、トナー排出口６４Ａを閉鎖する。また、第２シャッター６４Ｂは、突起６４Ｄを有する。突起６４Ｄは、トナーカートリッジ６０がドラムカートリッジ５０に装着された状態で、第１シャッター５４の穴５４２（図９参照）に嵌まる。これにより、トナーカートリッジ６０がドラムカートリッジ５０に装着された状態で、第２シャッター６４Ｂは、第１シャッター５４とともに移動可能となる。
【０１４６】
レバー６５は、図１１Ａに示すように、軸方向における筐体６３の外面に位置する。レバー６５は、第２シャッター６４Ｂを閉位置に位置させる第１位置（図１１Ａ参照）と、第２シャッター６４Ｂを開位置に位置させる第２位置（図１１Ｂ参照）との間で回動可能である。レバー６５は、複数のギア歯６５Ａを有する。複数のギア歯６５Ａは、レバー６５の回動方向に並ぶ。
【０１４７】
ギア６６は、レバー６５のギア歯６５Ａと噛み合う。
【０１４８】
ギア６７は、ギア６６と噛み合う。ギア６７は、トナーカートリッジ６０がドラムカートリッジ５０から取り外された状態で、第２シャッター６４Ｂから独立に回転可能である。ギア６７は、リブ６７Ａを有する。リブ６７Ａは、レバー６５が第１位置に位置する状態で、第１方向に延びる。リブ６７Ａは、レバー６５が第２位置に位置する状態で、第１方向と交差する方向に延びる。リブ６７Ａは、トナーカートリッジ６０がドラムカートリッジ５０に装着された状態で、第１シャッター５４の溝５４１（図１０参照）に嵌まる。これにより、トナーカートリッジ６０がドラムカートリッジ５０に装着された状態で、ギア６７は、第１シャッター５４とともに回転可能となる。
【０１４９】
６．３．２  廃トナー収容器
廃トナー収容器６２は、図１１Ａに示すように、筐体６３に取り付けられる。廃トナー収容器６２は、トナー収容器６１とともに、ドラムカートリッジ５０（図９参照）に対して着脱可能である。廃トナー収容器６２は、図９に示すように、廃トナー受入口６２Ａと、シャッター６２Ｂと、圧縮バネ６２Ｃとを有する。
【０１５０】
廃トナー受入口６２Ａは、トナーカートリッジ６０がドラムカートリッジ５０に装着された状態で、廃トナー搬送管５６の廃トナー排出口５６Ａと通じる。これにより、廃トナー受入口６２Ａは、トナーカートリッジ６０がドラムカートリッジ５０に装着された状態で、廃トナー搬送管５６からの廃トナーを受け入れ可能である。廃トナー受入口６２Ａは、廃トナー収容器６２の内部空間と通じる。これにより、廃トナー受入口６２Ａに受け入れられた廃トナーは、廃トナー収容器６２内に収容される。
【０１５１】
シャッター６２Ｂは、廃トナー受入口６２Ａを閉鎖する閉位置（図示せず）と、廃トナー受入口６２Ａを開放する開位置（図９参照）との間で移動可能である。シャッター６２Ｂは、トナーカートリッジ６０がドラムカートリッジ５０に装着されるときに、廃トナー搬送管５６と接触することにより、圧縮バネ６２Ｃの押圧力に抗して、閉位置から開位置へ移動する。また、トナーカートリッジ６０がドラムカートリッジ５０から取り外されるときに、シャッター６２Ｂは、圧縮バネ６２Ｃによって押圧されることにより、開位置から閉位置へ移動する。
【０１５２】
６．４  第２実施形態の作用効果
第２実施形態においても、第１実施形態と同様の作用効果を得ることができる。
【０１５３】
７．第３実施形態
次に、図１２から図１４を参照して、第３実施形態について説明する。第３実施形態において、第１実施形態と同様の部材には同じ符号を付し、説明を省略する。
【０１５４】
７．１  第３実施形態の概要
図１２に示すように、トナー収容器７１は、現像器１５のトナーカートリッジ支持部３１Ｂに支持され、廃トナー収容器７２は、フレーム２１の第１側板２１Ａおよび第２側板２１Ｂに支持される。トナー収容器７１は、トナーカートリッジ７０がドラムカートリッジ８０に装着された状態で、現像器１５とともに感光ドラム１３に対して移動可能である。一方、廃トナー収容器７２は、トナーカートリッジ７０がドラムカートリッジ８０に装着された状態で、感光ドラム１３に対して移動不能である。
【０１５５】
以下、第３実施形態について詳しく説明する。
【０１５６】
７．２  トナーカートリッジの詳細
トナーカートリッジ７０は、図１３Ａおよび図１３Ｂに示すように、トナー収容器７１と廃トナー収容器７２とを有する。
【０１５７】
７．２．１  トナー収容器
トナー収容器７１は、筐体７３と、シャッター７４と、レバー７５とを備える。すなわち、トナーカートリッジ７０は、シャッター７４と、レバー７５とを備える。
【０１５８】
筐体７３は、現像ローラ１６に供給されるトナーを収容可能である。筐体７３は、図１２に示すように、トナー排出口７３Ａを有する。トナー排出口７３Ａは、トナーカートリッジ７０がドラムカートリッジ８０に装着され、シャッター７４が開位置に位置し、第１シャッター３２が開位置に位置する状態で、トナーを排出可能である。また、筐体７３内には、２つのアジテータ７３Ｂ、７３Ｃが設けられる。アジテータ７３Ｂは、アジテータ７３Ｃとトナー排出口７３Ａとの間に位置する。アジテータ７３Ｂおよびアジテータ７３Ｃは、筐体７３内のトナーを撹拌するとともに、筐体７３内のトナーをトナー排出口７３Ａに向かって搬送する。
【０１５９】
シャッター７４は、閉位置（図１３Ａ参照）と開位置（図１３Ｂ参照）との間を、筐体７３に対して移動可能である。シャッター７４は、開口７４Ａを有する。開口７４Ａは、シャッター７４が開位置に位置する場合に、トナー排出口７３Ａと通じる。これにより、シャッター７４は、開位置に位置する場合、トナー排出口７３Ａを開放する。また、開口７４Ａは、シャッター７４が閉位置に位置する場合に、シャッター７４の移動方向においてトナー排出口７３Ａから離れ、トナー排出口７３Ａと通じない。この場合、シャッター７４は、トナー排出口７３Ａを覆う。これにより、シャッター７４は、閉位置に位置する場合、トナー排出口７３Ａを閉鎖する。なお、シャッター７４は、突起７４Ｄを有する。突起７４Ｄは、トナーカートリッジ７０がドラムカートリッジ８０に装着された状態で、ドラムカートリッジ８０の第１シャッター３２の一部を貫通する。これにより、トナーカートリッジ７０がドラムカートリッジ８０に装着された状態で、シャッター７４は、第１シャッター３２とともに移動可能となる。
【０１６０】
レバー７５は、図１３Ａおよび図１３Ｂに示すように、第１位置（図１３Ａ参照）と第２位置（図１３Ｂ参照）との間を移動可能である。詳しくは、レバー７５は、第１位置と第２位置との間を回動可能である。レバー７５は、軸線方向における筐体７３の外面に位置する。レバー７５は、軸線方向におけるシャッター７４の端部に接続する。これにより、レバー７５は、第１位置と第２位置との間を移動するときに、シャッター７４を移動させる。レバー７５は、第１位置に位置する場合、シャッター７４を閉位置に位置させる。レバー７５は、第２位置に位置する場合、シャッター７４を開位置に位置させる。
【０１６１】
７．２．２  廃トナー収容器
廃トナー収容器７２は、トナー収容器７１に対して移動可能に連結される。
【０１６２】
詳しくは、図１３Ｂを参照して説明する。
【０１６３】
廃トナー収容器７２は、連結部１００を備える。連結部１００は、穴１０１と穴１０２とを有する。また、トナー収容器７１の筐体７３は、突起２０１と突起２０２とを有する。廃トナー収容器７２は、穴１０１に突起２０１が挿入され、穴１０２に突起２０２が挿入されることにより、トナー収容器７１に対して連結される。
【０１６４】
突起２０１が穴１０１に挿入された状態で、突起２０１は、穴１０１の内面に対して、間隔を隔てる。また、突起２０２が穴１０２に挿入された状態で、突起２０２は、穴１０２の内面に対して、間隔を隔てる。突起２０１と穴１０１との間に間隔が存在し、かつ、突起２０２と穴１０２の内面との間に間隔が存在することにより、廃トナー収容器７２は、トナー収容器７１に対して、第１方向および第２方向に移動可能である。
【０１６５】
本実施形態では、突起２０１および突起２０２は、円柱形状を有する。また、穴１０１および穴１０２は、第１方向に長い長穴である。このため、廃トナー収容器７２がトナー収容器７１に対して移動可能な距離は、第２方向に比べて第１方向のほうが長い。
【０１６６】
トナー収容器７１が廃トナー収容器７２に対して移動可能な状態でゆるく連結されていることにより、トナーカートリッジ７０がドラムカートリッジ８０に装着された状態で、トナー収容器７１は、廃トナー収容器７２に対して移動可能である。詳しくは、トナーカートリッジ７０をドラムカートリッジ８０に装着した状態で、廃トナー収容器７２が廃トナー搬送管８１とフレーム２１とに対して動かない状態を保ちつつ、トナー収容器７１および現像器１５を感光ドラム１３に対して移動させることができる。廃トナー収容器７２が廃トナー搬送管８１とフレーム２１とに対して動かない状態でトナー収容器７１が廃トナー収容器７２に対して移動可能である構造により、廃トナー収容器７２と廃トナー搬送管８１の連結部分からの廃トナー漏れを防ぐこと、および、現像器１５を感光ドラム１３に対して現像に最適な位置で接触させることを、容易に両立できる。
【０１６７】
廃トナー収容器７２は、係合部７６を有する。係合部７６には、レバー７５が第１位置に位置するとき、レバー７５の一部が係合する。具体的には、係合部７６は、レバー７５のハンドル７５Ａが嵌まる凹部である。廃トナー収容器７２は、図１３Ａに示すように、レバー７５が第１位置に位置するとき、レバー７５の一部が廃トナー収容器７２の係合部７６に係合することにより、トナー収容器７１に対して移動不能となる。また、廃トナー収容器７２は、図１３Ｂに示すように、レバー７５が第２位置に位置するとき、レバー７５の一部と廃トナー収容器７２の係合部７６との係合が解除されることにより、トナー収容器７１に対して移動可能となる。
【０１６８】
７．３  ドラムカートリッジの詳細
ドラムカートリッジ８０は、図１２に示すように、上記した感光ドラム１３、帯電ローラ１４およびドラムクリーナー２２、現像器１５に加えて、廃トナー搬送管８１と、係合部８２とを有する。
【０１６９】
７．３．１  廃トナー搬送管
廃トナー搬送管８１は、トナーカートリッジ７０がドラムカートリッジ８０に装着された状態で、ドラムクリーナー２２と廃トナー収容器７２とを接続する。廃トナー搬送管８１は、トナーカートリッジ７０がドラムカートリッジ８０に装着された状態で、ドラムクリーナー２２から廃トナー収容器７２へ廃トナーを搬送する。廃トナー搬送管８１は、図１２および図１４に示すように、廃トナー収容器７２に接続された状態で、装着位置（図１２参照）と離脱位置（図１４参照）との間を移動可能である。廃トナー搬送管８１が装着位置に位置する場合、トナーカートリッジ７０は、フレーム２１に装着される。廃トナー搬送管８１が離脱位置に位置する場合、トナーカートリッジ７０は、フレーム２１から取り外される。トナーカートリッジ７０は、廃トナー搬送管８１が離脱位置に位置する状態で、廃トナー搬送管８１に対して着脱可能である。トナーカートリッジ７０は、廃トナー搬送管８１が離脱位置に位置する状態で、廃トナー搬送管８１から取り外されることにより、ドラムカートリッジ８０から離脱する。また、トナーカートリッジ７０は、廃トナー搬送管８１が離脱位置に位置する状態で、廃トナー搬送管８１に装着され、次いで、廃トナー搬送管８１が離脱位置から装着位置に移動されることにより、ドラムカートリッジ８０に装着される。
【０１７０】
７．３．２  第１ガイドおよび第２ガイド
図１４および図１５に示すように、フレーム２１は、第１ガイド８３と第３ガイド８５とを有し、現像器１５は、第２ガイド８４を有する。第１ガイド８３は、トナーカートリッジ７０がドラムカートリッジ８０に装着されるときに、廃トナー収容器７２の突起１０３を案内する。第３ガイド８５は、トナーカートリッジ７０がドラムカートリッジ８０に装着されるときに、廃トナー収容器７２の突起１０５を案内する。これにより、廃トナー収容器７２は、トナーカートリッジ７０がドラムカートリッジ８０に装着された状態で、フレーム２１に支持される。第２ガイド８４は、トナーカートリッジ７０がドラムカートリッジ８０に装着されるときに、トナー収容器７１の突起２０４を案内する。これにより、トナー収容器７１は、トナーカートリッジ７０がドラムカートリッジ８０に装着された状態で、現像器１５に支持される。
【０１７１】
７．３．３  係合部
係合部８２は、現像器１５に設けられる。係合部８２には、図１２に示すように、トナーカートリッジ７０がドラムカートリッジ８０に装着され、レバー７５が第２位置に位置するとき、レバー７５の一部が係合する。具体的には、係合部８２は、レバー７５のハンドル７５Ａが嵌まる凹部である。トナー収容器７１は、レバー７５が第２位置に位置するとき、レバー７５の一部と廃トナー収容器７２の係合部７６との係合が解除されることにより、廃トナー収容器７２に対して移動可能となり、かつ、レバー７５の一部と現像器１５の係合部８２とが係合されることにより、現像器１５とともに感光ドラム１３に対して移動可能となる。
【０１７２】
７．４  第３実施形態の作用効果
第３実施形態においても、第１実施形態と同様の作用効果を得ることができる。
【符号の説明】
【０１７３】
１        画像形成装置
２        装置本体
４        ドロワ
５        ドラムカートリッジ
６        露光器
７        トナーカートリッジ
９        定着器
１３      感光ドラム
１５      現像器
１６      現像ローラ
１７      トナー収容器
１８      廃トナー収容器
２１      フレーム
２１Ａ    第１側板
２１Ｂ    第２側板
２２Ｂ    クリーニング部材
２３      廃トナー搬送管
２８      廃トナー排出口
３２      第１シャッター
３５Ａ    トナー受入口
３５Ｂ    開口
４２      第２シャッター
４４      トナー排出口
４５      廃トナー受入口
５０      ドラムカートリッジ
５１      フレーム
５３      壁
５３Ａ    開口
５４      第１シャッター
５６      廃トナー搬送管
５６Ａ    廃トナー排出口
５６Ｂ    シャッター
６０      トナーカートリッジ
６１      トナー収容器
６２      廃トナー収容器
６２Ａ    廃トナー受入口
６２Ｂ    シャッター
６４      トナー排出部
６４Ａ    トナー排出口
６４Ｂ    第２シャッター
７０      トナーカートリッジ
７１      トナー収容器
７２      廃トナー収容器
７３Ａ    トナー排出口
７４      シャッター
７５      レバー
７６      係合部
８０      ドラムカートリッジ
８１      廃トナー搬送管
８２      係合部
８３      第１ガイド
８４      第２ガイド
Ａ１      回転軸線
Ａ２      揺動軸
Ｐ        印刷媒体
【図１】
2019204005.tif 000003
【図２】
2019204005.tif 000004
【図３】
2019204005.tif 000005
【図４】
2019204005.tif 000006
【図５】
2019204005.tif 000007
【図６】
2019204005.tif 000008
【図７】
2019204005.tif 000009
【図８】
2019204005.tif 000010
【図９】
2019204005.tif 000011
【図１０】
2019204005.tif 000012
【図１１】
2019204005.tif 000013
【図１２】
2019204005.tif 000014
【図１３】
2019204005.tif 000015
【図１４】
2019204005.tif 000016
【図１５】
2019204005.tif 000017